(57)【要約】      （修正有）【課題】２重包装としなくても飲用カップ内の飲料を衛生的に攪拌できる粒状調味料封入小袋を提供する。【解決手段】粒状調味料封入小袋１０は、長手状攪拌部材２０の全部が粒状調味料１４と共に粒状調味料封入小袋１０内に封入されていることから、その使用に際しては、その一端部１０ａ側が破られることにより開封されて、その内容物である粒状調味料１４および長手状攪拌部材２０がその一端部１０ａから飲用容器の飲料内に投入されると、長手状攪拌部材２０の上端部が飲料および飲用容器から上方へ向かって突き出した状態となるので、その長手状攪拌部材２０の上端部を把持して容易に攪拌操作することが可能となり、粒状調味料封入小袋１０を２重包装としなくても飲用容器内の飲料を衛生的に攪拌できる。【選択図】図１
2004359337.tif 000002
【特許請求の範囲】
【請求項１】
飲用容器内の飲料に加えるための粒状調味料が一定量に小分されて封入された粒状調味料封入小袋であって、
前記飲用容器内の飲料を攪拌するための長手状攪拌部材の一部または全部が、前記粒状調味料と共に封入されていることを特徴とする粒状調味料封入小袋。
【請求項２】
前記長手状攪拌部材は、前記粒状調味料封入小袋の全長よりも短く且つその全長の半分よりも長い棒状部材であって、その全体が粒状調味料封入小袋内に収容されたものである請求項１の粒状調味料封入小袋。
【請求項３】
前記長手状攪拌部材は、その一端部が前記粒状調味料封入小袋の一端部に固定されたものである請求項１の粒状調味料封入小袋。
【請求項４】
前記長手状攪拌部材は、前記飲用容器の深さ寸法よりも長い長さ寸法を備えたものである請求項１乃至３のいずれかの粒状調味料封入小袋。
【請求項５】
前記粒状調味料封入小袋は紙質シートから構成され、前記長手状攪拌部材は硬質合成樹脂、硬質の天然樹脂、木質、成形デンプンのいずれかから構成されたものである請求項１乃至４のいずれかの粒状調味料封入小袋。
【発明の詳細な説明】
【０００１】
【発明の属する技術分野】
本発明は、飲用容器内の飲料に加えるための粒状調味料が一定量に小分けされて封入された粒状調味料封入小袋に関するものである。
【０００２】
【従来の技術】
カップやコップなどの飲用容器内の飲料に加えるための砂糖、粉ミルクなどの粒状調味料が一定量に小分けされて封入された粒状調味料封入小袋が知られている。たとえば、紅茶、コーヒーなどの飲料を飲むときに使用されるスティック状或いは長手状の砂糖封入小袋がそれである。このような粒状調味料封入小袋は、一回分ずつ小分けされているので、その使用に便利であるだけでなく、衛生的に貯蔵或いは保管される。
【０００３】
このような粒状調味料封入小袋は、その使用に際しては、粒状調味料を速やかに溶解させるために、スプーンなどを用いて攪拌することが望まれるが、その粒状調味料封入小袋とは別にスプーンなどを用意することが面倒且つ不便であるだけでなく、別の容器に複数のスプーンを用意することは埃などが付着して非衛生的であった。これに対し、特許文献１に記載されたスプーン型スティック砂糖入れや、特許文献２に記載されたスプーン機能付砂糖容器が提案されている。上記特許文献１に記載されたスプーン型スティック砂糖入れは、砂糖が封入された長手状袋の先端部にスプーン形状部が一体に設けられたものである。また、上記特許文献２に記載されたスプーン機能付砂糖容器は、砂糖が封入された長手状袋を一端部に向かうほど大径とし且つその一端部を斜めにカットして楕円状開口を設け、その楕円状開口がシール材で蓋をされたものである。
【０００４】
【特許文献１】特開平０８−２８０５１３号公報
【特許文献２】特開平１１−１２８０４６号公報
【０００５】
【発明が解決しようとする課題】
しかしながら、上記特許文献１に記載されたスプーン型スティック砂糖入れはその長手状袋の先端部に設けられたスプーン形状部を飲料に入れて攪拌するものであるため、その長手状袋を個別にさらに包装するという２重包装としなければ非衛生的となる欠点があった。また、上記特許文献２に記載されたスプーン機能付砂糖容器は、長手状袋の一端部に設けられた楕円状開口を塞ぐシール材を除去して砂糖を飲用容器内に入れた後で、その長手状袋の楕円状開口側の端部を飲料に入れて攪拌するものであるため、同様に、その長手状袋を個別にさらに包装するという２重包装としなければ非衛生的となる欠点があった。
さらに、紙コップのように飲用容器の受皿が用意されない場合は、攪拌に用いた長手状袋を置く場所に困り、ちり紙などの下敷きを介して机上などに置くという煩雑さや、、そこを汚すおそれがあった。
【０００６】
本発明は以上の事情を背景として為されたものであり、その目的とするところは、２重包装としなくても飲用カップ内の飲料を衛生的に攪拌できる粒状調味料封入小袋を提供することにある。
【０００７】
【課題を解決するための手段】
上記目的を達成するための本発明の要旨とするところは、飲用容器内の飲料に加えるための粒状調味料が一定量に小分されて封入された粒状調味料封入小袋であって、その飲用容器内の飲料を攪拌するための長手状攪拌部材の一部または全部が、前記粒状調味料と共に封入されていることにある。
【０００８】
【発明の効果】
このようにすれば、長手状攪拌部材の一部または全部が前記粒状調味料と共に粒状調味料封入小袋内に封入されていることから、粒状調味料と共に衛生的に粒状調味料封入小袋内に保管されていた長手状攪拌部材の一部または全部を用いて飲料を攪拌することができるので、２重包装としなくても飲用容器内の飲料を衛生的に攪拌できる。
【０００９】
【発明の他の態様】
ここで、好適には、前記長手状攪拌部材は、前記粒状調味料封入小袋の全長よりも短く且つその全長の半分よりも長い棒状部材であって、その全体が粒状調味料封入小袋内に収容される。このようにすれば、粒状調味料封入小袋の全長が長手状攪拌部材の全長よりも長くされるので、粒状調味料封入小袋が適切な大きさとされるとともに、粒状調味料封入小袋の一端部を破って開封し、その一端部から粒状調味料と共に長手状攪拌部材も飲用容器内へ一挙に投入されることができる。
【００１０】
また、好適には、前記長手状攪拌部材は、その一端部が前記粒状調味料封入小袋の一端部に固定されたものである。このようにすれば、粒状調味料封入小袋の両端部のうち前記長手状攪拌部材の一端部が固定されている側の端部を破断することにより粒状調味料が飲用容器内に投入される。これにより、その粒状調味料封入小袋の破断させられた比較的面積の大きな端部が指で把持されることにより長手状攪拌部材を容易に攪拌操作できるとともに、その粒状調味料封入小袋の端部には粒状調味料が付着していないのでそれを把持する指が汚されない利点がある。
【００１１】
また、好適には、前記長手状攪拌部材は、前記飲用容器の深さ寸法よりも長い長さ寸法を備えたものである。このようにすれば、飲用容器内において長手状攪拌部材の上端部がその飲用容器から突き出すので、その使用に便利である。
【００１２】
また、好適には、前記粒状調味料封入小袋は紙質シートから構成され、前記長手状攪拌部材は硬質合成樹脂、硬質の天然樹脂、木質、成形デンプンのいずれかから構成されたものである。このようにすれば、可燃物として容易に廃棄が可能となる。
【００１３】
【発明の好適な実施の形態】
以下、本発明の一実施形態を図面に基づいて詳細に説明する。
【００１４】
図１乃至図３において、粒状調味料封入小袋１０は、耐湿性を高めるために紙が樹脂などによって裏打ちされた紙質シート１２から構成された長手状の袋であり、予め筒状とされた紙製シート内にグラニュ糖、顆粒状砂糖、粉状ミルクなどの粒状調味料１４が収容された状態で高周波用着などによってその両端部１０ａおよび１０ｂが封止されることにより、一回の使用量に相当する量、たとえば飲用容器１６内のコーヒー、紅茶などの飲料１８に対して適量となるように設定された３乃至８ｇ程度の予め設定された一定量だけその粒状調味料が封入されている。
【００１５】
そして、上記粒状調味料封入小袋１０内には、飲用容器１６内の飲料１８を攪拌するための長手状攪拌部材２０の全部が上記粒状調味料１４と共に封入され、収容されている。この長手状攪拌部材２０は、たとえば硬質の合成樹脂、硬質の天然樹脂、木質、成形デンプンなどの硬質の天然素材などのいずれかから構成さたものであり、粒状調味料封入小袋１０に収容可能となるようにその粒状調味料封入小袋１０の有効全長Ｌよりも短く且つその有効全長Ｌの半分よりも長く、また上記飲用容器１６の深さＤよりも長い全長寸法Ａを備えている。
【００１６】
以上のように構成されている粒状調味料封入小袋１０は、その使用に際しては、図２に示されるようにその一端部１０ａ側が破られることにより開封されて、その内容物である粒状調味料１４および長手状攪拌部材２０がその一端部１０ａから飲用容器１６の飲料１８内に投入されると、図３に示されるように、長手状攪拌部材２０の上端部が飲料１８および飲用容器１６から上方へ向かって突き出した状態となるので、その長手状攪拌部材２０の上端部を把持して容易に攪拌操作することができる。
【００１７】
本実施例によれば、長手状攪拌部材２０の全部が粒状調味料１４と共に粒状調味料封入小袋１０内に封入されていることから、粒状調味料１４と共に衛生的に粒状調味料封入小袋１０内に保管されていた長手状攪拌部材２０を用いて飲料１８を攪拌することができるので、粒状調味料封入小袋１０を２重包装としなくても飲用容器１６内の飲料１８を衛生的に攪拌できる。
【００１８】
また、本実施例によれば、長手状攪拌部材２０は、粒状調味料封入小袋１０の有効全長Ｌよりも短く且つその有効全長Ｌの半分よりも長い長さ寸法Ａを備えた棒状部材であって、その全体が粒状調味料封入小袋１０内に収容されるので、粒状調味料封入小袋１０が適切な大きさとされるとともに、粒状調味料封入小袋１０の一端部１０ａを破って開封し、その一端部１０ａから粒状調味料１４と共に長手状攪拌部材２０も飲用容器１６内へ一挙に投入されることができる。
【００１９】
また、本実施例によれば、長手状攪拌部材２０は、飲用容器１６の深さ寸法Ｄよりも長い長さ寸法Ａを備えたものであることから、図３に示すように、飲用容器１６内において長手状攪拌部材２０の上端部がその飲用容器１６から突き出すので、その攪拌時において使用に便利である。
【００２０】
また、本実施例によれば、粒状調味料封入小袋１０は紙質シートから構成され、長手状攪拌部材２０は硬質合成樹脂、硬質の天然樹脂、木質、成形デンプンのいずれかから構成されたものであるので、可燃物などとして容易に廃棄が可能となる。
【００２１】
次に、本発明の他の実施例を説明する。なお、以下の説明において前述の実施例と共通する部分には同一の符号を付して説明を省略する。
【００２２】
図４および図５において、粒状調味料封入小袋１０内には、長手状攪拌部材２４の一部が粒状調味料１４と共に封入されている。本実施例の長手状攪拌部材２４は、前述の長手状攪拌部材２０と材質は同じであるが、その長さ、形状、収容状態が相違する。すなわち、長手状攪拌部材２４の一端部には攪拌効率を高めるための円盤部２４ａが形成され、他端部２４ｂは粒状調味料封入小袋１０の一端部１０ｂに固定されている。長手状攪拌部材２４の他端部２４ｂは、粒状調味料封入小袋１０の一端部１０ｂが高周波溶着機によって封止されるときに、その他端部１０ｂを貫通した状態で同時に紙質シート１２に溶着される。本実施例の長手状攪拌部材２４は、飲用容器１６の深さＤよりも長い全長寸法Ａを備えるが、粒状調味料封入小袋１０の有効全長Ｌよりも短くなくてもよく、粒状調味料封入小袋１０内に一部が収容された状態となる。
【００２３】
本実施例では、前述の実施例と同様に、粒状調味料封入小袋１０は、その使用に際しては、その他端部１０ｂ側が破られることにより開封されて、その内容物である粒状調味料１４がその他端部１０ｂから飲用容器１６の飲料１８内に投入される。次いで、その他端部１０ｂが粒状調味料封入小袋１０から切り離されることにより、図５に示されるように、その他端部１０ｂに固定された長手状攪拌部材２４の他端部２４ｂが飲料１８および飲用容器１６から上方へ向かって突き出した状態となることから、その長手状攪拌部材２０の他端部２４ｂすなわちそれに固定されている粒状調味料封入小袋１０の他端部１０ｂを把持して容易に攪拌操作することができるので、前述の実施例と同様の効果が得られる。また、本実施例では、粒状調味料封入小袋１０の他端部１０ｂは、粒状調味料封入小袋１０内に終了されている粒状調味料１４が付着していないので、長手状攪拌部材２４を攪拌操作する指先が汚れない利点がある。
【００２４】
以上、本発明の一実施例を図面に基づいて説明したが、本発明はその他の態様においても適用される。
【００２５】
たとえば、前述の実施例の粒体調味料１４は、砂糖、粉ミルク、以外の粒体調味料、たとえば塩、混合調味料などであってもよい。
【００２６】
また、前述の実施例の粒状調味料封入小袋１０は、紙質シート１２から構成されていたが、アルミニウムなどの金属箔シートや合成樹脂シートなどから構成されていてもよい。
【００２７】
また、前述の実施例の粒状調味料封入小袋１０の端部形状や溶着封止構造は、必ずしも図１、図４に示すものに限定されない。
【００２８】
また、前述の図４および図５の実施例において、長手状攪拌部材２４の他端部２４ｂは、粒状調味料封入小袋１０の他端部１０ｂを貫通した状態で溶着されているが、必ずしも貫通させられる必要はなく、また、粒状調味料封入小袋１０の他端部１０ｂに固定されていなくてもよい。
【００２９】
その他、本発明はその主旨を逸脱しない範囲において種々変更が加えられ得るものである。
【図面の簡単な説明】
【図１】本発明の一実施例の粒状調味料封入小袋の構成をその一部を切り欠いて示す斜視図である。
【図２】図１の粒状調味料封入小袋内に収容されている粒体調味料および長手状攪拌部材を飲料内に投入する状態を示す図である。
【図３】図１の粒状調味料封入小袋内に収容されている長手状攪拌部材を用いて飲用容器内の飲料を攪拌する状態を示す図である。
【図４】本発明の他の実施例の粒状調味料封入小袋の構成をその一部を切り欠いて示す斜視図であって、図１に相当する図である。
【図５】図４の粒状調味料封入小袋内に収容されている粒体調味料および長手状攪拌部材を飲料内に投入する状態を示す図であるって、図３に相当する図である。
【符号の説明】
１０：粒状調味料封入小袋
１０ａ：端部
１０ｂ：端部
１４：粒状調味料
１６：飲用容器
１８：飲料
２０：長手状攪拌部材
２４：長手状攪拌部材
２４ａ：円盤部
２４ｂ：端部
Ａ：長さ寸法
Ｄ：深さ
Ｌ：有効全長
【図１】
2004359337.tif 000003
【図２】
2004359337.tif 000004
【図３】
2004359337.tif 000005
【図４】
2004359337.tif 000006
【図５】
2004359337.tif 000007